(57)【要約】【課題】面倒な操作をすることなくＣＤ等の本来の再生順以外で記録した曲を記録媒体本来の再生順、即ちトラック番号順で再生するオーディオ記録再生装置を提供する。【解決手段】まず、オーディオ記録再生装置ＨＵが記録媒体、例えばＣＤのランダム再生開始時にＨＵの操作部ＨＵより記録の指示がなされると、（ａ）に示すような曲番を含むＣＤのＴＯＣ情報を読み出し、メモリ２６に記憶する。そして、ランダム再生順に曲をハードディスクドライブ１４中のＨＤに記録していく。ついで、曲の記録が終了したとき、メモリ２６に記憶したＴＯＣ情報とＨＤに記録した曲の位置を対応づけた曲位置情報を図（ｂ）のように記録する。そして、次回ＨＤに記録した曲の再生を行うときはＨＤの記録順に曲を再生するのではなく、曲位置情報（ｂ）として記録した情報を基に曲番に従って再生を行う。【選択図】　　図１
2004022141.tif 000002
【特許請求の範囲】
【請求項１】
記録媒体に記録されている曲を再生中に記録可能なオーディオ記録再生装置において、
記録媒体から再生した曲を記録する記録部と、
該記録媒体からトラック番号を含むＴＯＣ情報を読み出すＴＯＣ情報読み出し部と、
再生順に従って曲を前記記録部に記録すると共に、該ＴＯＣ情報読み出し部が読み出したＴＯＣ情報と前記記録部に記録した曲の位置情報に対応した情報を前記記録部に記録するための制御を行う記録制御部と、
前記記録部に記録した曲を再生する際に、記録した曲を記録順にかかわらずＴＯＣ情報のトラック番号順に再生するように制御を行う再生制御部と、
を備えたことを特徴とするオーディオ記録再生装置。
【請求項２】
記録媒体に記録されている曲を再生中に記録可能なオーディオ記録再生装置において、
記録媒体から再生した曲を記録する記録部と、
該記録部に曲を記録する際に、再生順に従って曲を前記記録部に記録するための制御を行う記録制御部と、
トラック番号を含むＴＯＣ情報を読み出すＴＯＣ情報読み出し部と、
該ＴＯＣ情報読み出し部が読み出したＴＯＣ情報よりトラック番号順にプレイリストを生成するプレイリスト生成部と
該プレイリスト生成部が生成したプレイリストに基いて前記記録部に記録した曲を再生するように制御を行う再生制御部と、
を備えたことを特徴とするオーディオ記録再生装置。
【請求項３】
記録媒体に記録されている曲を再生中に記録する記録再生方法において、
再生する記録媒体のＴＯＣ情報を読み出し、
記録媒体に記録された曲の再生を行ったとき、再生順で曲を記録し、
読み出したＴＯＣ情報と記録した曲の位置を対応づけた曲位置情報を記録し、記録した曲を再生する際には曲位置情報を用いて再生を行うことを特徴とする記録再生方法。
【請求項４】
記録媒体に記録されている曲を再生中に記録する記録再生方法において、
再生する記録媒体のＴＯＣ情報を読みだし、
読み出したＴＯＣ情報よりトラック番号順にプレイリストを生成し、
記録媒体に記録された曲の再生を行ったとき、再生順で曲を記録し、
記録した曲を再生する際には前記プレイリストを用いて再生を行うことを特徴とする記録再生方法。
【発明の詳細な説明】
【０００１】
【発明の属する技術分野】
本発明は、オーディオ記録再生装置及び記録再生方法に係り、特に再生順に記録した曲を再生する際、記録順ではなくトラック順に再生を行うオーディオ記録再生装置及び記録再生方法に関する。
【０００２】
【従来の技術】
近年、パーソナルコンピュータが普及し、ハードディスク（ＨＤ）のような大容量記録媒体が安価で入手できるようになったため、今までのようにコンパクトディスク（ＣＤ）からミニディスク（ＭＤ）に曲を記録するというような形態ではなく、ＣＤからＨＤへ曲をそのままＣＤ−ＤＡ形式で記録したり、ＨＤへ記録する際にＭＰ３（ＭＰＥＧ１　Ａｕｄｉｏ　Ｌａｙｅｒ３）形式やＡＴＲＡＣ３（Ａｄａｐｔｉｖｅ　Ｔｒａｎｓｆｏｒｍ　Ａｃｏｕｓｔｉｃ　Ｃｏｄｉｎｇ３）形式等に圧縮して多くの曲を記録するようになっている。
【０００３】
一方、カーオーディオやホームオーディオでもＨＤが搭載されるようになってきており、ＣＤ再生装置にＨＤが内臓され、自動でＣＤの曲を簡単にＨＤへＣＤ−ＤＡ形式で記録したり、ＭＰ３形式やＡＴＲＡＣ３形式等に圧縮して記録を行うことが可能な製品もあり、多くのユーザーはＨＤに記録した曲の再生を楽しんでいる。
【０００４】
【発明が解決しようとする課題】
しかしながら、ＨＤが搭載されたこれらの再生装置ではＣＤ等から記録した曲を再生する際には通常、記録順に再生する。そのためランダム再生を行ったり、プログラム再生を行ってＨＤに記録をすると、ＨＤからの再生時にはランダム再生やプログラム再生での再生順で再生が行われてしまい、ＣＤ本来の再生順、即ちトラック番号順で再生するにはユーザーによるＨＤの曲に対するプログラム再生の指示か、トラックのアップ、ダウンの操作が必要であり面倒であった。以上から、本発明の目的は曲の記録順にかかわらず、面倒な操作をすることなくＣＤ等の記録媒体本来の再生順、即ちトラック番号順で再生することができるオーディオ記録再生装置を提供することである。
【０００５】
【課題を解決するための手段】
上記課題は、本発明によれば、再生する記録媒体のＴＯＣ情報を読み出し、再生順に従って曲を記録し、読み出したＴＯＣ情報と記録した曲の位置を対応づけた曲位置情報を記録し、次に記録された曲の再生を行ったとき、曲位置情報を用いて再生を行うことにより達成される。
【０００６】
又、上記課題は、本発明によれば、再生する記録媒体のＴＯＣ情報を読みだし、読み出したＴＯＣ情報よりトラック番号順のプレイリストを生成し、記録媒体に記録された曲の再生を行ったとき、再生順で曲を記録しておき、記録した曲を再生する際にはプレイリストを用いて再生を行うことにより達成される。
【０００７】
【発明の実施の形態】
（Ａ）本発明の第１の概略説明
図１は本発明の第１の概略説明図であり、ＨＵはオーディオ記録再生装置であり、記録、再生、ボリューム調整等の指示を行う操作部ＣＵ、メモリ２６、ＣＤプレーヤ１２、ＭＤプレーヤ１３、ハードディスクドライブ１４を備えており、各々にＣＤ、ＭＤ、ハードディスクＨＤの記録媒体が収納されている。
【０００８】
本発明に係るオーディオ記録再生装置ＨＵでは、まず、オーディオ記録再生装置ＨＵが記録媒体、例えばＣＤのランダム再生開始時にＨＵの操作部ＣＵより記録の指示がなされると、図１の（ａ）に示すような曲番を含むＣＤのＴＯＣ情報を読み出し、メモリ２６に記憶する。そして、ランダム再生順に曲をハードディスクドライブ１４中のＨＤに記録していく。ついで、曲の記録が終了したとき、メモリ２６に記憶したＴＯＣ情報とＨＤに記録した曲の位置を対応づけた曲位置情報を図１（ｂ）のように記録する。そして、次回ＨＤに記録した曲の再生を行うときはＨＤの記録順に曲を再生するのではなく、曲位置情報として記録した情報を基に曲番に従って再生を行う。
【０００９】
（Ｂ）本発明の第２の概略説明
本発明の第２の概略説明図は、本発明の第１の概略説明図（図１）と同等である。本発明に係るオーディオ記録再生装置ＨＵでは、まず、オーディオ記録再生装置ＨＵが記録媒体、例えばＣＤのランダム再生開始時にＨＵの操作部ＣＵより記録の指示がなされると、図１の（ａ）に示すような曲番を含むＣＤのＴＯＣ情報を読み出し、メモリ２６に記憶する。そして、ランダム再生順に曲をハードディスクドライブ１４中のＨＤに記録していく。ついで、曲の記録が終了したとき、ＨＤに記録した各曲の位置を検出し、ＴＯＣ情報の曲番順のプレイリストをＴＯＣ情報とＨＤに記録した各曲の位置とを対応づけて図１の（ｃ）に示すように作成する。そして、次回ＨＤに記録した曲の再生を行うときはＨＤの記録順に曲を再生するのではなく、プレイリストを基に曲番に従って再生を行う。
【００１０】
（Ｃ）本発明の実施例
（ａ）本発明実施例のオーディオ記録再生装置の構成
図２は本発明実施例のオーディオ記録再生装置の構成図である。図中１０はラジオ受信用のアンテナ、１１はラジオの放送信号を受信し、検波信号を出力するラジオ受信部、１２はＣＤに記録された音楽情報を読み出してＣＤ信号やＣＤ−ＴＥＸＴ方式で記録された文字情報を出力するＣＤプレーヤ、１３はＭＤに記録された音楽情報を読み出してＭＤ信号やＭＤのＵＴＯＣに記録された文字情報を出力するＭＤプレーヤ、１４はＣＤプレーヤ１２に装填されているＣＤやＭＤプレーヤ１３に装填されているＭＤ中の曲をＣＤ−ＤＡやＭＰ３形式にして記録するハードディスクドライブ（ＨＤＤ）である。
【００１１】
１５はラジオ受信部１１、ＣＤプレーヤ１２、ＭＤプレーヤ１３、ＨＤＤの各ソース信号の切換えを行なうソース切替部、１６はソース切替部１５からのソース信号の音量を調節するためのボリュームコントローラ、１７はボリュームコントローラ１６で調節されたソース信号を増幅するアンプ、１８はスピーカ、２２はユーザーがランダム再生や記録の指示、ラジオのチャンネル選択やソース切替、ボリューム調節の操作を行なう操作部、２３は現在選択しているソースの情報や再生している曲のトラック等を表示する表示部である。
【００１２】
２４は操作部２２からの指示を受けてソース切替部１５の制御や、ＨＤＤ１４に記録されている圧縮音楽のデコードする処理を行なうシステムコントローラ、２４ａはＨＤＤ１４への記録を制御する記録制御部、２４ｂはＣＤプレーヤ１２に装填されたＣＤのＴＯＣ情報や、ＭＤプレーヤ１３に装填されたＭＤのＵＴＯＣ情報と、ＨＤＤのＨＤに記録した曲のアドレスを対応させる情報を生成する曲再生情報生成部である。
【００１３】
２５はラジオ受信部１１、ＣＤプレーヤ１２、ＭＤプレーヤ１３、ＨＤＤ１４を制御するためのプログラムが記憶されているＲＯＭ、２６は現在再生しているＣＤのトラック番号や経過時間等の情報を記憶するＲＡＭ、２７はＲＯＭ２５からの記憶データ読み出し、ＲＡＭ２６への情報の書き込みや読み出しを制御するメモリコントローラである。
【００１４】
（ｂ）ＴＯＣの構成
図３は記録媒体、例えばＣＤに記録されているサブコードＱ信号の説明図であり（ａ）はリードイントラックでのＴＯＣのデータ形式、（ｂ）は音楽信号中とリードアウトトラックでのデータ形式である。ＭＮＲは曲番号（トラック番号ともいう）であり、００〜９９の値が可能であるが、リードイントラックではＭＮＲ＝００のみ、プログラムエリアでは０１〜９９である。Ｘはプログラムエリアのみで使用されるチャプター番号であり、各曲番内で００〜９９の値が可能である。
【００１５】
ＭＩＮ／ＳＥＣ／ＦＲＡＭＥは曲先頭からの現在位置を分／秒／フレームで示す経過時間、ＺＥＲＯはすべて“０”であることを示すもの、ＡＭＩＮ／ＡＳＥＣ／ＡＦＲＡＭＥはプログラムエリア先頭からの絶対的現在位置を分／秒／フレームで示す絶対時間である。ＰＯＩＮＴはＴＯＣで曲の先頭位置（ＰＭＩＮ／ＰＳＥＣ／ＰＦＲＡＭＥ）を示す場合に曲番（トラック番号）を示すもの、ＰＭＩＮ／ＰＳＥＣ／ＰＦＲＡＭＥはプログラムエリア先頭からの曲の先頭位置を分／秒／フレームで示す絶対位置時間であり、ディスクの目次に相当する。
【００１６】
図４はリードイントラックのＴＯＣ説明図であり、各曲の先頭位置がＭＮＲ＝００の部分で繰り返し（３回）記録されており、曲番０１の先頭位置として００分２秒３２フレームが示されている。更にＰＯＩＮＴ＝Ａ０によりディスクの最初の曲番、ＰＯＩＮＴ＝Ａ１によりディスクの最後の曲番、ＰＯＩＮＴ＝Ａ２によりリードアウトトラックの先頭位置ＴＯＵＴ（＝５２分４８秒４１フレーム）を示すようになっている。
【００１７】
（ｃ）曲再生情報生成部の生成する情報
図５は本発明の曲再生情報生成部２４ｂが生成し、ＨＤＤ中のＨＤに記録する情報の一例を示す図である。本発明の第１実施例では、図３に示したＴＯＣ情報中の曲番（ＭＮＲ）を含むＣＤのＴＯＣ情報を読み出し、メモリ２６に記憶する。曲をハードディスクドライブ１４中のＨＤに記録していき、曲の記録が終了したとき、メモリ２６に記憶したＴＯＣ情報の曲番とＨＤに記録した曲の位置を対応づけた曲位置情報を図５の（ａ）のように生成し記録する。
【００１８】
本発明の第２実施例では、図３に示したＴＯＣ情報中の曲番（ＭＮＲ）を含むＣＤのＴＯＣ情報を読み出し、メモリ２６に記憶する。曲をハードディスクドライブ１４中のＨＤに記録していき、曲の記録が終了したとき、ＨＤに記録した各曲の位置を検出し、ＴＯＣ情報の曲番順のプレイリストをＴＯＣ情報とＨＤに記録した各曲の位置とを対応づけて図５の（ｂ）に示すように生成し記録する。
【００１９】
（ｄ）本発明第１実施例のフローチャート
図６は本発明第１実施例のフローチャートであり、ＣＤプレーヤ１２（図１）に装填されたＣＤのランダム再生を行いながら記録を行う例である。まず、システムコントローラ２４は操作部２２より記録開始の指示があったか否かを判定し（ステップ１０１）、指示があったとき、システムコントローラ２４はＣＤプレーヤ１２へＴＯＣ情報を読み出すよう指示を送出する。
【００２０】
次に、読み出しの指示を受けたＣＤプレーヤ１２はＴＯＣ情報を読み出し、システムコントローラ２４、メモリコントローラ２７を介してＲＡＭ２６に記憶する（ステップ１０２）。ついで、記録制御部２４ｂはランダム再生している曲を再生順にＨＤＤ１４中のＨＤに記録していき（ステップ１０３）、ＣＤの全ての曲の記録が終了したか否かを判定する（ステップ１０４）。
【００２１】
そして、記録が終了していた場合、システムコントローラ２４はＨＤに記録した各曲のアドレスを取得し（ステップ１０５）する。次に、曲再生情報生成部２４ｂはステップ１０２においてメモリに記憶したＴＯＣ情報中の曲番と取得したアドレスを対応づけ、図５（ａ）に示したような曲番情報として生成し、ＨＤＤ１４中のＨＤに記録する（ステップ１０６）。
【００２２】
そして、システムコントローラ２４は操作部２２よりＨＤに記録した曲の再生開始の指示があったか否かを判定し（ステップ１０７）、再生の指示があった場合、ステップ１０６において生成、記録した曲番情報を基にＨＤ中の曲の再生を開始する（ステップ１０８）。
【００２３】
ステップ１０１において、システムコントローラ２４は操作部２２より記録開始の指示がないと判定した場合、ステップ１０７の判断を行う。ステップ１０４において、記録制御部２４ｂがＣＤの全ての曲の記録が終了していないと判定した場合、引き続きステップ１０３の記録処理を続行する。ステップ１０７において、システムコントローラ２４は操作部２２よりＨＤに記録した曲の再生開始の指示がないと判定した場合、ステップ１０１の判定処理を行う。
【００２４】
（ｅ）本発明第２実施例のフローチャート
図７は本発明第２実施例のフローチャートであり、本発明第１実施例のフローチャート（図６）と同様のステップには同じ番号を付してその説明を省略する。ステップ１０５で各曲のアドレス取得後、曲再生情報生成部２４ｂはステップ１０２においてメモリに記憶したＴＯＣ情報中の曲番と取得したアドレスを用いてＴＯＣ情報中の曲番順に図５（ｂ）に示したようなプレイリストを生成し、ＨＤＤ１４中のＨＤに記録する（ステップ２０６）。
【００２５】
そして、システムコントローラ２４は操作部２２よりＨＤに記録した曲の再生開始の指示があったか否かを判定し（ステップ１０７）、再生の指示があった場合、ステップ２０６において生成、記録したプレイリストを基にＨＤ中の曲の再生を開始する（ステップ２０８）。
【００２６】
尚、本発明の実施例では操作部より記録の指示を受けて記録を開始していたが、ＣＤやＭＤがオーディオ記録再生装置に装填されたことをシステムコントローラ２４が確認したら自動で記録を開始し、その場合でも曲番情報、又はプレイリストを生成、記録し、再生時には記録した曲番情報、又はプレイリストを基に再生を行うことが可能である。以上のようにすることで記録順がＣＤやＭＤの曲順とは異なる場合でもＨＤからの再生ではＣＤやＭＤの曲順と同じ順に再生を行える。
【００２７】
【発明の効果】
以上、本発明によれば、曲を記録する場合、再生する記録媒体のＴＯＣ情報を読みだし、読み出したＴＯＣ情報と記録した曲の位置を対応づけた曲番情報の記録やプレイリストの生成、記録を行うので、記録した曲の再生を行ったとき、面倒な操作をすることなく記録媒体本来の再生順、即ちトラック番号順で再生することができる。
【図面の簡単な説明】
【図１】本発明の第１の概略説明図である。
【図２】本発明実施例のオーディオ記録再生装置の構成図である。
【図３】ＣＤに記録されているサブコードＱ信号の説明図である。
【図４】リードイントラックのＴＯＣ説明図である。
【図５】ＨＤＤ中のＨＤに記録する情報の一例を示す図である。
【図６】本発明第１実施例のフローチャートである。
【図７】本発明第２実施例のフローチャートである。
【符号の説明】
ＨＵ・・オーディオ装置
ＣＵ・・操作部
１２・・ＣＤプレーヤ
１３・・ＭＤプレーヤ
１４・・ハードディスクドライブ
２６・・メモリ
【図１】
2004022141.tif 000003
【図２】
2004022141.tif 000004
【図３】
2004022141.tif 000005
【図４】
2004022141.tif 000006
【図５】
2004022141.tif 000007
【図６】
2004022141.tif 000008
【図７】
2004022141.tif 000009